(57)【要約】【課題】有害で不快なオゾン、紫外線、薬剤を用いることなく、効果的で迅速な空気清浄、空気除菌を行うことができる空気清浄器及び空気清浄方法であって、設置場所の問題が生じにくい１ユニット型での空気除菌器を提供する。【解決手段】外部へ排出される空気に対して高電圧を印加する高電圧印加層を有し、該高電圧印加層に印加する電圧をプラス高電圧とマイナス高電圧とに交互に自動的に切り替える印加電圧切替手段を有する空気除菌器。【選択図】      図１
2004176947.tif 000002
【特許請求の範囲】
【請求項１】
外部へ排出される空気に対して高電圧を印加する高電圧印加層を有し、該高電圧印加層に印加する電圧をプラス高電圧とマイナス高電圧とに交互に自動的に切り替える印加電圧切替手段を有することを特徴とする空気除菌器。
【請求項２】
上記印加電圧切替手段が印加するプラス高電圧印加期間とマイナス高電圧印加期間との間に、電圧を印加しないインターバル期間を有することを特徴とする請求項１に記載の空気除菌器。
【請求項３】
清浄化フィルター通過後に、外部へ排出される空気に対して高電圧を印加する高電圧印加層を有し、該高電圧印加層に印加する電圧をプラス高電圧とマイナス高電圧とに交互に自動的に切り替える印加電圧切替手段を有することを特徴とする空気清浄器。
【請求項４】
清浄化フィルター通過後の空気流に対して高電圧を印加する空気清浄方法であって、該印加する高電圧をプラス高電圧とマイナス高電圧とに交互に切り替えることを特徴とする空気清浄方法。
【発明の詳細な説明】
【０００１】
【発明の属する技術分野】
本発明は、ハウスダスト等の微粒子、粉塵物質の除去を行うとともに空気中からバクテリア、ウィルスを除去する空気清浄器、及び、空気中からバクテリア、ウィルスを除去する空気除菌器に関する。
【０００２】
【従来の技術】
現在、国民の３〜４人にひとりは何らかのアレルギーを持っていると云われ、その原因の１つとされるハウスダストの除去が効果的であるとされている。
ハウスダストは室内に浮遊する微粒子のことであって、ちり、ほこり、ダニの死骸やフン、微小繊維、食べかす、植物の花粉や胞子、煙草の煙の粒子などが挙げられる。
【０００３】
また、各種保菌者・発病者の咳、くしゃみの飛沫由来のバクテリア、ウイルスなども空気伝染（飛沫伝染）し、最近では特に未発見の結核患者による病院内・老人ホーム内、あるいは各種介護施設内での集団感染や、空調循環水の飛沫由来のレジオネラ属菌による集団感染が社会的問題となっている。
【０００４】
このようなハウスダストやバクテリアやウイルスの除去に応用可能な空気清浄器として、マイナスイオン発生源を用いた放電型空気清浄器が挙げられる（特開２００２−１６６１９３公報（特許文献１））。
図３にこのような放電側空気清浄器の一例をモデル的に示す。
【０００５】
マイナスイオン発生源としてマイナス高電圧に保たれた導線が空中に展張され、その付近に不織布が配され、この不織布は接地電極によって接地されているか、あるいは、陽極によってプラス高電圧に印加されている。
【０００６】
空気中を浮遊するハウスダスト、バクテリア類はこの導線付近でマイナスイオン化され、不織布に吸着し、除去される。このようにハウスダストを吸着した不織布は適宜交換される。
なお、このような空気清浄器は通常、通気性を有するハウジング内に収納され、上記導線が保護されている。
【０００７】
しかし、上記のような放電型空気清浄器の内部では、マイナスイオン発生源と陽極あるいは設置電極間の放電により紫外線が発生し、また、オゾンが発生している。このため、後述するような紫外線殺菌灯、オゾン発生器と同様の欠点を有している。
【０００８】
しかしながら、このような空気清浄器は即効性を有するものではなく、充分な効果が得られるまで、設置された部屋の大きさにもよるが３０分〜１時間程度は必要とする。従って、掃除や喫煙、あるいは、ウイルス性疾患などの咳などで一旦ハウスダストが発生するとその空間内の人間はしばらくそのハウスダストあるいは細菌、ウィルスに曝されることとなる。
【０００９】
一方、フィルターなどによってハウスダストを除去する従来の空気清浄器でも充分な効果が得られるまでには３０分〜１時間程度の時間が必要であり、また、たばこの煙、バクテリア、ウイルス、ほこり等のミクロン、サブミクロン単位のハウスダストに対応させるためには高価な特殊フィルターを必要とすると共に、これらは圧力損失が大きく、そのため強力なファンの使用が必須であって消費電力、騒音などの問題が生じるおそれがあり、またフィルターの寿命も短く、頻繁な交換が必要となる。さらに、このようなフィルター式空気清浄器では除菌ができないため、上記マイナスイオン発生源と組み合わせ、１ユニット化したものもあるが、除菌こそ可能なものの、フィルター式空気清浄器の欠点は残る。
【００１０】
また、空気中の除菌を行うものとして、紫外線殺菌灯、オゾン発生器、薬剤散布等の手段が考えられる。ここで、オゾンによる殺菌には、職場その他の環境で０．１ｐｐｍの濃度が適当であるとされているが、この濃度であっても鼻、眼、のどの粘膜を刺激し、また、その悪臭が環境を悪化させ、その悪臭を除去するために活性炭フィルターが必須である。さらに、オゾンは有害なＮＯｘやＳＯｘなどの酸化物質を発生させることがある。
【００１１】
一方、紫外線殺菌では、直接の照射は人体に悪影響を及ぼす。また、紫外線殺菌では、殺菌力が最も高い２６０ｎｍ付近の波長のものを用いても、大腸菌等のバクテリア類を死滅させるには数時間が必要となり、迅速性に欠ける。さらに紫外線は金属、ゴム、プラスチックを劣化させ、さらにオゾンが発生する。
薬剤散布は常に人間がいる環境での実施は困難であり、また、その効果の持続性の面で問題がある。
【００１２】
このような問題を解決するため本発明者等は、特開２００１−２４５９６６公報（特許文献２）でマイナス高電圧を印加するユニットとプラス高電圧を印加するユニットとを独立して有する空気清浄機あるいは空気除菌器を提案している。
【００１３】
この空気除菌器はマイナスイオン発生源及びプラス高電圧に保たれた陽極をそれぞれ有する２種のユニット及びこれらの間の空気からなる空気コンデンサ型空気清浄器であって、上記問題を完全に解決するものであったが、ユニットが２つ以上必要であるため、各ユニットの大きさを小さくすることができたとしても、小さい部屋への設置が難しく、事実上対応が不可能と云う問題や複数ユニット必要であるために、そのハウジングのコストも無視できず、さらに設置場所の都合や部屋の大きさなどの制限により上記２種のユニットを近づけすぎると効率が低くなるという問題があった。
【００１４】
【特許文献１】
特開２００２−１６６１９３公報（第４頁）
【特許文献２】
特開２００１−２４５９６６公報（第１−３頁）
【００１５】
【発明が解決しようとする課題】
本発明は、有害で不快なオゾン、紫外線、薬剤を用いることなく、効果的で迅速な空気清浄、空気除菌を行うことができる空気清浄器及び空気清浄方法であって、設置場所の問題が生じにくい１ユニット型を可能とする空気清浄器を提供することを目的とする。
【００１６】
本発明は、有害で不快なオゾン、紫外線、薬剤、放電を用いることなく、迅速かつ安全に空気中の除菌を行うことができる空気除菌器を提供することを目的とする。
【００１７】
【課題を解決するための手段】
本発明の空気除菌器は上記課題を解決するため、請求項１記載の通り、外部へ排出される空気に対して高電圧を印加する高電圧印加層を有し、該高電圧印加層に印加する電圧をプラス高電圧とマイナス高電圧とに交互に自動的に切り替える印加電圧切替手段を有する空気除菌器であり、この構成により、有害で不快なオゾン、紫外線、薬剤、放電を用いることなく、迅速かつ安全に空気中の除菌を行うことができる。さらに、特開２００１−２４５９６６公報に係る技術での、２台以上のユニットの設置の必要性がなくなり、また、ハウジングが一つで充分である等により低コスト化が容易であり、また狭い場所では非効率となると云う問題も解決される。
【００１８】
本発明の空気清浄器は上記課題を解決するため、請求項３に記載の通り、清浄化フィルター通過後に外部へ排出される空気に対して高電圧を印加する高電圧印加層を有し、該高電圧印加層に印加する電圧をプラス高電圧とマイナス高電圧とに交互に自動的に切り替える印加電圧切替手段を有する空気清浄器であり、この構成により、有害で不快なオゾン、紫外線、薬剤、放電を用いることなく、迅速かつ安全に空気中の除菌を行うことができる。さらに、特開２００１−２４５９６６公報に係る技術での、２台以上のユニットの設置の必要性がなくなり、ハウジングが一つで充分である等により低コスト化が容易であり、また狭い場所では非効率となると云う問題も解決される。
【００１９】
本発明に係る空気清浄方法は、請求項４に記載の通り、清浄化フィルター通過後の空気流に対して高電圧を印加する空気清浄方法であって、該印加する高電圧をプラス高電圧とマイナス高電圧とに交互に切り替える空気清浄方法である。このような構成により、有害で不快なオゾン、紫外線、薬剤、放電を用いることなく、迅速かつ安全に空気中の除菌を行うことができる。さらに、特開２００１−２４５９６６公報に係る技術での、２台以上のユニットの設置の必要性がなくなり、清浄装置としたときに装置ハウジングが一つで充分である等により低コスト化が容易であり、また、狭い場所では非効率となると云う問題も解決される。
【００２０】
【発明の実施の形態】
本発明の空気除菌器は外部へ排出される空気に対して高電圧を印加する高電圧印加層を有し、該高電圧印加層に印加する電圧をプラス高電圧とマイナス高電圧とに交互に自動的に切り替える印加電圧切替手段を有する空気除菌器である。
このような構成により、空気除菌器から外部に排出される空気は高電圧を帯び、その電圧は周囲の空気（雰囲気）に広がる。そして、当初例えばプラス高電圧に印加された雰囲気が形成された後に、マイナス高電圧に印加された空気が空気除菌器から排出されると即座に中和され、次いでマイナス高電圧の雰囲気へと変化する。また同様に、マイナス高電圧に印加された雰囲気が形成された後に、プラス高電圧に印加された空気が空気除菌器から排出されると同様に即座に中和され、さらにプラス高電圧の雰囲気へと変化する。このことは装置近くの雰囲気中の電位を市販の空中電位測定器によって測定することで容易に確認される。
【００２１】
本発明の空気除菌器を用いた場合、雰囲気中の細菌やウィルスはこの雰囲気の中和の際に死滅ないし不活性化されるものと考えられる。さらに、自らイオン化されているために沈下せずに空気中を浮遊している微粒子も、この雰囲気の中和の際ににその電荷を失い沈下すると思われ、その空気中の浮遊微粒子量も著しく減少する。
【００２２】
なお、上記空気除菌器から排出された高電圧を有する空気は、その高電圧を近くの空気にも即座に付与するために、本来、空気除菌器から排出された空気のみならず、より多くの空気が高電圧を有し、すなわち、通常の空気清浄器や空気除菌器で処理される空間の雰囲気より、より広大な空間の雰囲気できわめて迅速に上記のような本発明の効果が得られる。
【００２３】
ここで、一般に多く行われている交流電圧を空気流路内で放電を行う除菌方法では、生体に悪影響を及ぼし、ゴム、ウレタン、銅・銀製品等に変質、変色、劣化、腐食などを生じるおそれがあるオゾン等の有害ガスの発生、発生する紫外線の完全遮蔽の必要性、放電による大量の電磁波の発生によるラジオ、テレビなどの地上波利用機器や各種制御電子機器へのノイズの影響、ひいては人体への問題など、解決すべきあるいは検討すべき問題が生じ、放電針の改良（材質：例えばチタン、金めっき、白金めっきやタングステンの利用の検討）やオゾンや活性に富む酸素、窒素酸化物などの発生有害ガス・成分のカーボンや触媒などを利用する除去等の対策が必要となるが、本発明においては放電が生じないためにこのような問題が一切発生しない。
【００２４】
また、本発明の空気除菌器では上記の構成により、プラス高電圧を有する空気とマイナス高電圧を有する空気とが交互に排出されるために、１ユニットのみの設置で充分な効果が得られる。ただし、本発明に係る空気除菌器は１つの部屋で複数備え付けて同時に稼働させても良い。ただし、複数の空気除菌器間で放電が生じないよう充分離して設置することが必要である。これらの間に放電が生じると、オゾンや紫外線が発生し、その結果、本発明の効果が得られない。
【００２５】
本発明において、空気除菌器からの空気の排出は、設置室内の空気の対流を利用するものであってもよく、空気除菌器内に加熱部を設けその加熱部による上昇流を利用するものであってもよいが、ファンを用いるものであることが、効率上望ましい。このとき、空気除菌器自体がファンを有しなくても、ファンを有する機器にこの空気除菌器を取り付ける・接続することによって、同様の効果が得られる。
【００２６】
本発明の空気除菌器の外部へ排出される空気に対して高電圧を印加する高電圧印加層として、空気除菌器の排出口付近に、針金（複数本配置することが望ましい）、金網（単層であっても複層であってもよい）や金属製のハニカム構造体、金属繊維、スチールウール、カーボン繊維織布・不織布、金属パイプ（複数本を配置することが望ましい）等の、空気との接触面積の大きい、導電性を有する物体を配し、その高電圧印加層に高電圧を印加することにより行うことができる。また、ガラス管（複数本を配置することが望ましい）セラミックハニカム体などの誘電体などにより高電圧を印加することも可能であり、その場合も本発明に含まれる。
【００２７】
本発明の空気除菌器には上記のように排出口付近に高電圧が印加される高電圧印加層が存在するために、危険防止のため、あるいは大きなゴミなどが内部に入り込むことを防止するため、通気性のある保護手段、すなわち金網部あるいはスリット部などの通気性を有する部分を有するハウジングなどで保護されていることが望ましい。
【００２８】
本発明の空気除菌器において、高電圧印加層にプラス高電圧とマイナス高電圧とに交互に自動的に切り替える印加電圧切替手段は、交流電源（１００Ｖあるは２００Ｖ等、タイマリレーおよび昇圧トランス等を組み合わせて容易に構成することができる。プラス高電圧とマイナス高電圧とを印加する期間は通常等しく、それぞれ０．１秒以上３０秒以下とするが、これらの期間の比を１：１０〜１０：１の範囲で変化させてもあるいは調整してもよい。なお、上記印加期間を０．５秒以下の場合には空気除菌器近くにしか効果が及ばない場合があり、また、６０秒超とすると短時間での雰囲気電位の変化による、本発明の効果が充分に得られにくくなる場合がある。
【００２９】
なお、さらにタイマリレー等を併用して記印加電圧切替手段が印加するプラス高電圧印加期間とマイナス高電圧印加期間との間に、電圧を印加しないインターバル期間を設けることにより、空気除菌器内の電気的ショックを解消すると同時に、周囲の空気に充分な雰囲気を作り、かつ、空気除菌器内の電気回路部品の寿命を長くすることが可能となる。このインターバル期間としては１秒以上３０秒以下である。１秒未満の場合には電気的ショックの充分の解消ができない場合があり、一方、３０秒超の場合には本発明の効果が充分得られない場合がある。
【００３０】
なお、上記プラス高電圧及びマイナス高電圧の印加電圧は、放電が生じたり、装置内部の高電圧印加層を保持している部材の絶縁破壊が生じない程度以下とする。
望ましい範囲として、プラス高電圧としては８０００Ｖ以上１００００Ｖ以下であり、マイナス高電圧としては１２０００Ｖ以上２００００Ｖ以下である。
ただし、マイナス高電圧印加電圧の絶対値より、プラス高電圧の絶対値を５０００Ｖ以上１３０００Ｖ以下程度の範囲で高くすることが高い効果を得るために望ましい（例えばマイナス高電圧を−１００００Ｖ、プラス高電圧を１５０００Ｖ）。
【００３１】
また、これら印加電圧はその期間中に常に一定である必要はなく、若干脈動していても良い。このような脈動する高電圧印加は、タイマー回路とスイッチング回路とによって実施可能である。
本発明の空気除菌器において、空気を清浄化する清浄化フィルターを併用すれば除菌とともに空気清浄を行う空気清浄器とすることができる。
【００３２】
このような清浄化フィルターとしては、静電フィルターや不織布、織布フィルターなどの埃・微粒子除去フィルター、活性炭（活性炭素繊維、繊維状活性炭等も含む）、シリカゲル、ゼオライトなどの高比表面積を有し、かつ、脱臭性を有するフィルターなどの吸着・除臭フィルターなどが挙げられ、これらを組み合わせてもよい。
このとき、清浄化フィルターは空気流れ方向に対し高電圧印加層より上流側に設けることが空気除菌性能を妨げないために好ましい。
【００３３】
以下に本発明の空気除菌器の例について図を用いて具体的に説明する。
図１は、シロッコファンを用いる、壁掛け型、薄型の空気除菌器の例を示す。図中、中央のシロッコファンの左右にはそれぞれ金属製のハニカム状電極が高電圧印加層として設けられていて、回転するシロッコファンから供給された空気流は２つの導風板によってこれらハニカム状電極に導かれ、それぞれのハニカム部を通過する際にそれぞれプラス高電圧あるいはマイナス高電圧に印加されて空気除菌器外の環境へと供給される。
【００３４】
図中左側のハニカム状電極はプラス高電圧を供給する電源に、右側のハニカム状電極はマイナス高電圧を供給する電源に、それぞれ接続されている。なお、これら電源は、図示しない昇圧トランスおよびタイマリレーからなる印加電圧切替手段に接続され、印加する高電圧をプラス高電圧とマイナス高電圧とに交互に切り替えるため、ある瞬間にこの空気除菌器からその設置環境に供給される空気は、プラス高電圧に印加された空気か、あるいは、マイナス高電圧に印加された空気のいずれかである。なお、上記印加電圧切替手段が印加するプラス高電圧印加期間とマイナス高電圧印加期間との間に、電圧を印加しないインターバル期間を設けることにより、プラス高電圧に印加された空気とマイナス高電圧に印加された空気電圧が印加されていない空気との間に供給される。
【００３５】
図２には、高電圧印加層としてのハニカム状電極が１つで、そのハニカム状電極に交互にプラス高電圧とマイナス高電圧とを交互に印加する空気除菌器の例を示した。
【００３６】
両方の空気除菌器のハニカム状電極はプロペラファンから空気が供給され留要になっていて、ハニカム状電極によって高電圧が印加された空気は空気除菌器外の環境に供給される。なお、それぞれのハニカム状電極には昇圧トランスとタイマリレーによりプラス高電圧とマイナス高電圧とが交互に印加されている。
なお、図中二点鎖線で示した２つのフィルターを併用すればこれら空気除菌器は空気清浄器として機能する。
【００３７】
【実施例】
以下に本発明の空気除菌器について具体的に説明する。
除菌性能を調べるに当たって、対象とする菌類としては芽胞を形成する菌としてバチルス  サブチリス（Ｂａｃｉｌｌｕｓ  ｓｕｂｔｉｌｉｓ  ＩＦＯ  ３１３４  ｓｏｐｒｅ）、及び、芽胞を形成しない菌としてスタフィロコクス  アウレウス（６−２．Ｓｔａｐｈｙｌｏｃｏｃｃｕｓ  ａｕｒｅｕｓ  ＩＦＯ  １２７３２）を選択した。
【００３８】
＜試験方法＞
［供試菌培養方法］
バチルス  サブチリスは、日抗基胞子形成用培地（日本抗生物質医薬品基準）に接種し３５℃，７日間培養した。この菌を滅菌生理食塩液で洗浄後、６５℃，３０分間加熱処理し、芽胞形成を顕微鏡で確認した。これを滅菌生理食塩液で洗浄・希釈したものを芽胞液として以下用いた。
【００３９】
スタフィロコクス  アウレウスは、−８０℃で凍結保存しておいた保存菌株をトリプトソイ寒天培地  （ＢＢＬ）で２継代し、ここから１白金耳をトリプチケースソイブロス（ＢＢＬ）に接種し、３５℃で一晩培養を行った。これを以下、滅菌生理食塩液で洗浄・希釈したものを供試菌液として用いた。
【００４０】
［試験（評価）装置］
本発明に係る空気除菌器（図１にモデル的に示したもの、大きさ５０ｃｍ（高さ）×５０ｃｍ（幅）×１０ｃｍ（厚さ））をｌｍ×１ｍ×ｌｍの正方形容器内の１つの壁面の中央に設置した。
【００４１】
また、この容器の一面に菌液噴霧用の孔を、対向する他の面にはサンプル（ガス）採取するためのインピンジャー採取用の孔をそれぞれ設けた。
さらにこの容器内に噴霧した菌を長時間浮遊させるため、菌液噴霧側の面に１５ｃｍ角の軸流ファンをそれらによる風向が上方に向かうように２基設置し、これを試験装置とした。
【００４２】
［試験条件］
空気除菌器を通常作動させた場合、そこから環境内に供給される空気への高電圧印加において、「高電圧印加」中にはマイナス高電圧印加とプラス高電圧印加がそれぞれ１５秒間ずつ交互に行われるように設定した。なお、空気除菌器内の内蔵ファンは中速モード（１．５ｍ３／ｓｅｃ）とした。
【００４３】
［試験方法］
供試菌液をガラス製アトマイザーに１０ｍｌ入れ、上記菌液噴霧用の孔にセットした。インピンジャー採取用の孔には滅菌生理食塩液１００ｍｌを入れたガラス製インピンジャーを接続した。
【００４４】
アトマイザーにはさらにエアーコンプレッサーに接続し、その噴霧口から供試菌を、噴霧流量０．ｌｍＬ／分、噴霧時間ｌＯ分でで噴霧した。菌液噴霧開始と同時に軸流ファンを作動させ、試験終了までの間、連続運転を行った。このとき、空気除菌器はファンの運転は行ったが「高電圧印加」は行わなかった。
噴霧終了後の時点で、容器内空気をインピンジャーで毎分１０Ｌの吸引流量で１０分間吸引捕集し、これを「Ｏ分値」サンプルとした。
【００４５】
次いで空気除菌器の「交互高電圧印加」を開始した。印加開始後１５分、３０分及び６０分経過後に、上記「０分値」サンプルと同様に容器内空気を１００Ｌ吸引捕集し、それぞれサンプルとした。なお、ここで交互高電圧印加は、１５秒間のプラス高電圧（８０００Ｖ）と１５秒間のマイナス高電圧高電圧（１３０００Ｖ）とを交互に行ったものである。
【００４６】
また、比較のために自然減衰値を調べた。すなわち、上記同様に、但し、「高電圧印加」を全く行わずに行い、０分値、１５分後、３０分後及び６０分後のサンプルを採取した。
【００４７】
［菌数測定方法］
上記サンプル（インピンジャーで容器内空気を吸引捕集した滅菌生理食塩液）を試験液とし、これを滅菌生理食塩液を用いて段階希釈を行い、原液及び各希釈液をトリプトソイ寒天培地（ＢＢＬ）上に塗抹し、３５℃で４８時間培養を行った。
培養後、培地上に発育した集落数を算定し、吸引空気ｌＯＯＬあたりの菌数で表した。
【００４８】
［結果］
試験結果を表１及び表２に示した。バチルス  サブチリスを用いての結果（表１）では、自然減衰の場合と「交互高電圧印加」を行った場合を比較すると、作動させた場合、時間の経過と共に菌数の減少が認められ、６０分後では１．３ｌｏｇ１０の差が認められた。
【００４９】
スタフィロコクス  アウレウスを用いての結果では、自然減衰の結果がバチルス  サブチリスの場合と比較して減少率が大きかったが、「交互高電圧印加」を行った場合を比較すると、作動させた場合１５分後に１．３１ｏｇ１０の差が生じ、３０分後以降で定量下限値以下であった。
このように、バチルス  サブチリスでもスタフィロコクス  アウレウスでも、本発明の空気除菌器の効果は確認された。
【００５０】
【表１】
2004176947.tif 000003
【００５１】
【表２】
2004176947.tif 000004
【００５２】
【発明の効果】
本発明の空気除菌器によれば、有害で不快なオゾン、紫外線、薬剤を用いることなく、効果的で迅速な空気清浄、空気除菌を行うことができる空気清浄器及び空気清浄方法であって、設置場所の問題が生じにくい１ユニット型で高い性能が得られる。さらに、本発明の空気除菌器によれば、冬季に多い、不快な静電気の発生を押さえることができる。
【図面の簡単な説明】
【図１】本発明に係る空気除菌器の一例を示すモデル図である。
【図２】本発明に係る空気除菌器の他の一例を示すモデル図である。
【図３】従来の放電側空気清浄器の一例をモデル的に示す図である。
【図１】
2004176947.tif 000005
【図２】
2004176947.tif 000006
【図３】
2004176947.tif 000007